(57)【要約】【課題】基地局側及びモビリティ管理エンティティ側の緊急事態エリア識別子が手動で設定されていることによって発生する各種の問題を解決するための、緊急事態エリア識別子の通知方法などの技術を提供すること。【解決手段】本発明は、緊急事態エリア識別子の通知方法を提供する。当該方法は、基地局（ｅＮＢ）が、基地局自身がサポートする緊急事態エリア識別子（Ｅｍｅｒｇｅｎｃｙ  Ａｒｅａ  ＩＤ）と、緊急事態エリア識別子に含まれるセルグローバル識別子（Ｅ−ＣＧＩ）リストとを取得し、そして、Ｓ１インターフェースを確立するときに、取得された、緊急事態エリア識別子と、緊急事態エリア識別子に含まれるセルグローバル識別子リストとをＳ１確立要求メッセージに含ませてモビリティ管理エンティティ（ＭＭＥ）に送信するステップと、モビリティ管理エンティティが、受信された、緊急事態エリア識別子と、緊急事態エリア識別子に含まれるセルグローバル識別子リストとを保存するステップとを含む。本発明は、緊急事態エリア識別子の通知システムを更に提供する。本発明によって、手作業の煩雑さが低減され、エラー率が低減され、システムの信頼性及び作業効率が向上し、システムの安定性及びメンテナンス性が強化さされる。【選択図】図１
2013505607.tif 000002
【特許請求の範囲】
【請求項１】
緊急事態エリア識別子（Ｅｍｅｒｇｅｎｃｙ  Ａｒｅａ  ＩＤ）の通知方法であって、当該方法は、
基地局（ｅＮＢ）が、基地局自身がサポートする緊急事態エリア識別子と、緊急事態エリア識別子に含まれるセルグローバル識別子（Ｅ−ＣＧＩ）リストとを取得し、Ｓ１インターフェースを確立するときに、取得された、緊急事態エリア識別子と、緊急事態エリア識別子に含まれるセルグローバル識別子リストとをＳ１確立要求メッセージに含ませてモビリティ管理エンティティ（ＭＭＥ）に送信するステップと、
前記モビリティ管理エンティティが、受信された、緊急事態エリア識別子と、緊急事態エリア識別子に含まれるセルグローバル識別子リストとを保存するステップと
を含む緊急事態エリア識別子の通知方法。
【請求項２】
前記基地局が、緊急事態エリア識別子と、緊急事態エリア識別子に含まれるセルグローバル識別子リストとを取得する前に、前記方法は、
前記基地局において、前記基地局がサポートする緊急事態エリア識別子と、緊急事態エリア識別子に含まれるセルグローバル識別子リストとを設定するステップを更に含む
請求項１に記載の緊急事態エリア識別子の通知方法。
【請求項３】
前記緊急事態エリア識別子と、緊急事態エリア識別子に含まれるセルグローバル識別子リストとは、Ｓ１確立要求メッセージにおける任意の位置に位置する
請求項１又は２に記載の緊急事態エリア識別子の通知方法。
【請求項４】
当該方法は、
Ｓ１インターフェースが確立された後に、前記基地局がサポートする緊急事態エリア識別子と、緊急事態エリア識別子に含まれるセルグローバル識別子リストとが変更された場合、
前記基地局が、基地局自身がサポートする緊急事態エリア識別子と、緊急事態エリア識別子に含まれるセルグローバル識別子リストとを再取得し、再取得された、緊急事態エリア識別子と、緊急事態エリア識別子に含まれるセルグローバル識別子リストとを基地局構成更新メッセージに含ませて前記モビリティ管理エンティティに送信するステップと、
前記モビリティ管理エンティティが、基地局構成更新メッセージにおける緊急事態エリア識別子と、緊急事態エリア識別子に含まれるセルグローバル識別子リストとに応じて、保存された、緊急事態エリア識別子と、緊急事態エリア識別子に含まれるセルグローバル識別子リストとを更新するステップと
を更に含む請求項１又は２に記載の緊急事態エリア識別子の通知方法。
【請求項５】
基地局（ｅＮＢ）及びモビリティ管理エンティティ（ＭＭＥ）を含む、緊急事態エリア識別子（Ｅｍｅｒｇｅｎｃｙ  Ａｒｅａ  ＩＤ）の通知システムであって、
前記基地局は、基地局自身がサポートする緊急事態エリア識別子と、緊急事態エリア識別子に含まれるセルグローバル識別子（Ｅ−ＣＧＩ）リストとを取得し、Ｓ１インターフェースを確立するときに、取得された、緊急事態エリア識別子と、緊急事態識別子に含まれるセルグローバル識別子リストとをＳ１確立要求メッセージに含ませて前記モビリティ管理エンティティに送信し、
前記モビリティ管理エンティティは、受信された、緊急事態エリア識別子と、緊急事態エリア識別子に含まれるセルグローバル識別子リストとを保存する
緊急事態エリア識別子の通知システム。
【請求項６】
前記基地局は、さらに、
基地局自身がサポートする緊急事態エリア識別子と、緊急事態エリア識別子に含まれるセルグローバル識別子リストとを設定する
請求項５に記載の緊急事態エリア識別子の通知システム。
【請求項７】
前記緊急事態エリア識別子と、緊急事態エリア識別子に含まれるセルグローバル識別子リストとは、Ｓ１確立要求メッセージにおける任意の位置に位置する
請求項５又は６に記載の緊急事態エリア識別子の通知システム。
【請求項８】
前記基地局は、さらに、
Ｓ１インターフェースの確立の後に、基地局自身がサポートする緊急事態エリア識別子と、緊急事態エリア識別子に含まれるセルグローバル識別子リストとが変更された場合、基地局自身がサポートする緊急事態エリア識別子と、緊急事態エリア識別子に含まれるセルグローバル識別子リストとを再取得し、再取得された、緊急事態エリア識別子と、緊急事態エリア識別子に含まれるセルグローバル識別子リストとを基地局構成更新メッセージに含ませて前記モビリティ管理エンティティに送信し、
対応して、前記モビリティ管理エンティティは、さらに、
基地局構成更新メッセージにおける緊急事態エリア識別子と、緊急事態エリア識別子に含まれるセルグローバル識別子リストとに応じて、保存された、緊急事態エリア識別子と、緊急事態エリア識別子に含まれるセルグローバル識別子リストとを更新する
請求項５又は６に記載の緊急事態エリア識別子の通知システム。
【請求項９】
基地局（ｅＮＢ）であって、
基地局自身がサポートする緊急事態エリア識別子（Ｅｍｅｒｇｅｎｃｙ  Ａｒｅａ  ＩＤ）と、緊急事態エリア識別子に含まれるセルグローバル識別子（Ｅ−ＣＧＩ）リストとを取得する情報取得モジュールと、
Ｓ１インターフェースを確立するときに、取得された、緊急事態エリア識別子と、緊急事態エリア識別子に含まれるセルグローバル識別子リストとをＳ１確立要求メッセージに含ませてモビリティ管理エンティティに送信するメッセージ送信モジュールと
を含むこと基地局。
【請求項１０】
前記情報取得モジュールは、さらに、
Ｓ１インターフェースの確立の後に、基地局自身がサポートする緊急事態エリア識別子と、緊急事態エリア識別子に含まれるセルグローバル識別子リストとが変更された場合、基地局自身がサポートする緊急事態エリア識別子と、緊急事態エリア識別子に含まれるセルグローバル識別子リストとを再取得し、
対応して、前記メッセージ送信モジュールは、さらに、
再取得された、緊急事態エリア識別子と、緊急事態エリア識別子に含まれるセルグローバル識別子リストとを基地局構成更新メッセージに含ませてモビリティ管理エンティティに送信する
請求項９に記載の基地局。
【請求項１１】
モビリティ管理エンティティ（ＭＭＥ）であって、
基地局（ｅＮＢ）からのＳ１確立要求メッセージ及び／又は基地局構成更新メッセージを受信するメッセージ受信モジュールと、
前記Ｓ１確立要求メッセージ及び／又は基地局構成更新メッセージに含まれる緊急事態エリア識別子と、緊急事態エリア識別子に含まれるセルグローバル識別子リストとを保存する情報保存モジュールと
を含むモビリティ管理エンティティ。
【発明の詳細な説明】
【技術分野】
【０００１】
本発明はロング・ターム・エボリューション（ＬＴＥ）システムにおける警報処理技術に関し、特に、緊急事態エリア識別子の通知方法、通知システム及び通知装置に関する。
【背景技術】
【０００２】
ロング・ターム・エボリューション（ＬＴＥ：Ｌｏｎｇ  Ｔｅｒｍ  Ｅｖｏｌｕｔｉｏｎ）システムにおいて、ネットワーク側から、警報メッセージをユーザー端末（ＵＥ：Ｕｓｅｒ  Ｅｑｕｉｐｍｅｎｔ）に通知する必要がある場合、モビリティ管理エンティティ（ＭＭＥ：Ｍｏｂｉｌｉｔｙ  Ｍａｎａｇｅｍｅｎｔ  Ｅｎｔｉｔｙ）は、Ｓ１インターフェースを介して、モビリティ管理エンティティ自身に接続された基地局（ｅＮＢ：ｅｖｏｌｖｅｄ  ＮｏｄｅＢ）に対して、実際の状況に応じて、警報情報送信手続き（Ｗａｒｎｉｎｇ  Ｍｅｓｓａｇｅ  Ｔｒａｎｓｍｉｓｓｉｏｎ  Ｐｒｏｃｅｄｕｒｅｓ）を行い、当該基地局が所属する関連エリア内に位置するＵＥに対して、当該警報情報の放送を行うように基地局に通知する。ここで、Ｓ１インターフェースは、ＬＴＥシステムにおけるインターフェースであり、モビリティ管理エンティティと基地局とを接続することに用いられる。以上で説明された警報メッセージは、一般的には、地震津波警報システム（ＥＴＷＳ：Ｅａｒｔｈｑｕａｋｅ  ａｎｄ  Ｔｓｕｎａｍｉ  Ｗａｒｎｉｎｇ  Ｓｙｓｔｅｍ）に関連するメッセージである。
【０００３】
既存の３６．４１３プロトコルの規定によれば、警報メッセージを送信する必要がある場合、モビリティ管理エンティティは、警報情報送信手続きによって、基地局に書き込み−置換え警報要求（ＷＲＩＴＥ−ＲＥＰＬＡＣＥ  ＷＡＲＮＩＮＧ  ＲＥＱＵＥＳＴ）メッセージを送信する。基地局は、処理が完了した後、書き込み−置換え警報応答（ＷＲＩＴＥ−ＲＥＰＬＡＣＥ  ＷＡＲＮＩＮＧ  ＲＥＳＰＯＮＳＥ）メッセージをモビリティ管理エンティティに返信する。
【０００４】
モビリティ管理エンティティにより送信される書き込み−置換え警報要求メッセージが警報エリアリスト（Ｗａｒｎｉｎｇ  Ａｒｅａ  Ｌｉｓｔ）を含んでおり、かつ、警報エリアリストが緊急事態エリア識別子（Ｅｍｅｒｇｅｎｃｙ  Ａｒｅａ  ＩＤ）を含んでいる場合、基地局の処理が完了した後にモビリティ管理エンティティへ送信される書き込み−置換え警報応答メッセージには、放送完了エリアリスト（Ｂｒｏａｄｃａｓｔ  Ｃｏｍｐｌｅｔｅｄ  Ａｒｅａ  Ｌｉｓｔ）が含まれており、また、放送完了エリアリストには、警報メッセージの送信が成功した緊急事態エリア識別子と、当該緊急事態エリア識別子での放送の送信が成功したセルグローバル識別子（Ｅ−ＣＧＩ：Ｅ−ＵＴＲＡＮ  Ｃｅｌｌ  Ｇｌｏｂａｌ  Ｉｄｅｎｔｉｆｉｅｒ）とが含まれている。
【０００５】
しかしながら、現在、基地局側及びモビリティ管理エンティティ側の緊急事態エリア識別子は、いずれもオペレーターにより手動で設定されているため、オペレーターの作業量が大きくなり、且つミスが発生しやすくなり、後のメンテナンスが不便になる。
【発明の概要】
【発明が解決しようとする課題】
【０００６】
これに鑑みて、本発明の主な目的は、基地局側及びモビリティ管理エンティティ側の緊急事態エリア識別子が手動で設定されていることによる、作業量が大きく、作業が不便であり、且つミスが発生しやすく、後のメンテナンスが不便になる問題を解決するために、緊急事態エリア識別子の通知方法、通知システム及び通知装置を提供することにある。
【課題を解決するための手段】
【０００７】
上記目的を達するために、本発明の技術的解決法は以下のように実現される。
【０００８】
本発明は、緊急事態エリア識別子（Ｅｍｅｒｇｅｎｃｙ  Ａｒｅａ  ＩＤ）の通知方法を提供する。当該方法は、
基地局（ｅＮＢ）が、基地局自身がサポートする緊急事態エリア識別子と、緊急事態エリア識別子に含まれるセルグローバル識別子（Ｅ−ＣＧＩ）リストとを取得し、Ｓ１インターフェースを確立するときに、取得された、緊急事態エリア識別子と、緊急事態エリア識別子に含まれるセルグローバル識別子リストとをＳ１確立要求メッセージに含ませてモビリティ管理エンティティ（ＭＭＥ）に送信するステップと、
前記モビリティ管理エンティティが、受信された、緊急事態エリア識別子と、緊急事態エリア識別子に含まれるセルグローバル識別子リストとを保存するステップとを含む。
【０００９】
前記基地局が、緊急事態エリア識別子と、緊急事態エリア識別子に含まれるセルグローバル識別子リストとを取得する前に、前記方法は、
前記基地局において、前記基地局がサポートする緊急事態エリア識別子と、緊急事態エリア識別子に含まれるセルグローバル識別子リストとを設定するステップを更に含んでいてもよい。
【００１０】
前記緊急事態エリア識別子と、緊急事態エリア識別子に含まれるセルグローバル識別子リストとは、Ｓ１確立要求メッセージにおける任意の位置に位置していてもよい。
【００１１】
当該方法は、Ｓ１インターフェースが確立された後に、前記基地局がサポートする緊急事態エリア識別子と、緊急事態エリア識別子に含まれるセルグローバル識別子リストとが変更された場合、
前記基地局が、基地局自身がサポートする緊急事態エリア識別子と、緊急事態エリア識別子に含まれるセルグローバル識別子リストとを再取得し、再取得された、緊急事態エリア識別子と、緊急事態エリア識別子に含まれるセルグローバル識別子リストとを基地局構成更新メッセージに含ませて前記モビリティ管理エンティティに送信するステップと、
前記モビリティ管理エンティティが、基地局構成更新メッセージにおける緊急事態エリア識別子と、緊急事態エリア識別子に含まれるセルグローバル識別子リストとに応じて、保存された、緊急事態エリア識別子と、緊急事態エリア識別子に含まれるセルグローバル識別子リストとを更新するステップとを更に含んでいてもよい。
【００１２】
本発明は、基地局（ｅＮＢ）及びモビリティ管理エンティティ（ＭＭＥ）を含む、緊急事態エリア識別子（Ｅｍｅｒｇｅｎｃｙ  Ａｒｅａ  ＩＤ）の通知システムをさらに提供する。
前記基地局は、基地局自身がサポートする緊急事態エリア識別子と、緊急事態エリア識別子に含まれるセルグローバル識別子（Ｅ−ＣＧＩ）リストとを取得し、Ｓ１インターフェースを確立するときに、取得された、緊急事態エリア識別子と、緊急事態識別子に含まれるセルグローバル識別子リストとをＳ１確立要求メッセージに含ませて前記モビリティ管理エンティティに送信する。
前記モビリティ管理エンティティは、受信された、緊急事態エリア識別子と、緊急事態エリア識別子に含まれるセルグローバル識別子リストとを保存する。
【００１３】
前記基地局は、さらに、
基地局自身がサポートする緊急事態エリア識別子と、緊急事態エリア識別子に含まれるセルグローバル識別子リストとを設定してもよい。
【００１４】
前記緊急事態エリア識別子と、緊急事態エリア識別子に含まれるセルグローバル識別子リストとは、Ｓ１確立要求メッセージにおける任意の位置に位置していてもよい。
【００１５】
前記基地局は、さらに、
Ｓ１インターフェースの確立の後に、基地局自身がサポートする緊急事態エリア識別子と、緊急事態エリア識別子に含まれるセルグローバル識別子リストが変更された場合、基地局自身がサポートする緊急事態エリア識別子と、緊急事態エリア識別子に含まれるセルグローバル識別子リストとを再取得し、再取得された、緊急事態エリア識別子と、緊急事態エリア識別子に含まれるセルグローバル識別子リストとを基地局構成更新メッセージに含ませて前記モビリティ管理エンティティに送信してもよい。
対応して、前記モビリティ管理エンティティは、さらに、
基地局構成更新メッセージにおける緊急事態エリア識別子と、緊急事態エリア識別子に含まれるセルグローバル識別子リストとに応じて、保存された、緊急事態エリア識別子と、緊急事態エリア識別子に含まれるセルグローバル識別子リストとを更新してもよい。
【００１６】
本発明は、基地局（ｅＮＢ）をさらに提供する。基地局は、
基地局自身がサポートする緊急事態エリア識別子（Ｅｍｅｒｇｅｎｃｙ  Ａｒｅａ  ＩＤ）と、緊急事態エリア識別子に含まれるセルグローバル識別子（Ｅ−ＣＧＩ）リストとを取得する情報取得モジュールと、
Ｓ１インターフェースを確立するときに、取得された、緊急事態エリア識別子と、緊急事態エリア識別子に含まれるセルグローバル識別子リストとをＳ１確立要求メッセージに含ませてモビリティ管理エンティティに送信するメッセージ送信モジュールとを含む。
【００１７】
前記情報取得モジュールは、さらに、
Ｓ１インターフェースの確立の後に、基地局自身がサポートする緊急事態エリア識別子と、緊急事態エリア識別子に含まれるセルグローバル識別子リストとが変更された場合、基地局自身がサポートする緊急事態エリア識別子と、緊急事態エリア識別子に含まれるセルグローバル識別子リストとを再取得してもよい。
対応して、前記メッセージ送信モジュールは、さらに、
再取得された、緊急事態エリア識別子と、緊急事態エリア識別子に含まれるセルグローバル識別子リストとを基地局構成更新メッセージに含ませてモビリティ管理エンティティに送信してもよい。
【００１８】
本発明は、モビリティ管理エンティティをさらに提供する。モビリティ管理エンティティは、
基地局からのＳ１確立要求メッセージ及び／又は基地局構成更新メッセージを受信するメッセージ受信モジュールと、
前記Ｓ１確立要求メッセージ及び／又は基地局構成更新メッセージに含まれる緊急事態エリア識別子と、緊急事態エリア識別子に含まれるセルグローバル識別子リストとを保存する情報保存モジュールとを含む。
【００１９】
本発明に係る緊急事態エリア識別子の通知方法、通知システム及び通知装置では、基地局でのみ緊急事態エリア識別子が設定され、そして、設定された緊急事態エリア識別子がＳ１確立要求メッセージ及び基地局構成更新メッセージに含められてモビリティ管理エンティティに送信される。モビリティ管理エンティティは、当該基地局の緊急事態エリア識別子情報をリアルタイムに更新し、警報メッセージを当該基地局に通知する必要がある場合、当該基地局から報告された緊急事態エリア識別子を警報エリアリストに含ませる。本発明によれば、モビリティ管理エンティティ側で緊急事態エリア識別子を手動で設定する作業が省略される。これにより、手作業の煩雑さが低減され、エラー率が低減され、システムの信頼性及び作業効率が向上し、システムの安定性及びメンテナンス性が強化される。
【図面の簡単な説明】
【００２０】
【図１】本発明に係る緊急事態エリア識別子の通知方法のフローチャート１である。
【図２】本発明に係る緊急事態エリア識別子の通知方法のフローチャート２である。
【図３】本発明に係る緊急事態エリア識別子の通知システムの構造図である。
【発明を実施するための形態】
【００２１】
以下、図面と具体的な実施形態を合わせて本発明に係る技術的解決法を詳しく説明する。
【００２２】
本発明に係る緊急事態エリア識別子の通知方法は、２種類の適用場面に適用可能である。第１の適用場面では、Ｓ１インターフェースが確立されるときに、基地局が、基地局自身がサポートする緊急事態エリア識別子情報をＳ１確立要求（Ｓ１  ＳＥＴＵＰ  ＲＥＱＵＥＳＥＴ）メッセージに含ませてモビリティ管理エンティティに送信する。図１に示すように、具体的なプロセスは主に以下のステップを含む。
【００２３】
ステップ１０１：基地局は、基地局自身がサポートする緊急事態エリア識別子と、緊急事態エリア識別子に含まれるセルグローバル識別子リストとを取得し、そして、Ｓ１インターフェースを確立するときに、取得された、緊急事態エリア識別子と、緊急事態エリア識別子に含まれるセルグローバル識別子リストとをＳ１確立要求（Ｓ１  ＳＥＴＵＰ  ＲＥＱＵＥＳＥＴ）メッセージに含ませてモビリティ管理エンティティに送信する。
【００２４】
緊急事態エリア識別子と、緊急事態エリア識別子に含まれるセルグローバル識別子リストとは、オペレーターにより基地局において予め設定されている。基地局は、取得された、緊急事態エリア識別子と、緊急事態エリア識別子に含まれるセルグローバル識別子リストとを、Ｓ１確立要求メッセージの既存のシグナルエレメントの後に追加してＳ１確立要求メッセージとともにに符号化し、それらをモビリティ管理エンティティに送信する。
【００２５】
なお、基地局は、基地局自身がサポートする緊急事態エリア識別子と、緊急事態エリア識別子に含まれるセルグローバル識別子リストとをＳ１確立要求メッセージ内の任意の位置に設定することが可能である。
【００２６】
ステップ１０２：モビリティ管理エンティティは、受信された、緊急事態エリア識別子と、緊急事態エリア識別子に含まれるセルグローバル識別子リストとを保存し、そして、Ｓ１確立応答（Ｓ１  ＳＥＴＵＰ  ＲＥＳＰＯＮＳＥ）メッセージを基地局に返信する。
【００２７】
モビリティ管理エンティティは、Ｓ１確立要求メッセージを受信した後、メッセージ内の緊急事態エリア識別子と、緊急事態エリア識別子に含まれるセルグローバル識別子リストとを取り出して保存する。また、モビリティ管理エンティティは、Ｓ１確立要求メッセージに含まれる他のシグナルエレメントを処理する必要があり、処理が成功した後、Ｓ１確立応答メッセージを基地局に返信する。
【００２８】
第２の適用場面では、Ｓ１が確立された後、基地局がサポートする緊急事態エリア識別子情報が変更された場合に、基地局は、基地局構成更新（ｅＮＢ  ＣＯＮＦＩＧＵＲＡＴＩＯＮ  ＵＰＤＡＴＥ）メッセージを介して基地局自身がサポートする緊急事態エリア識別子情報をモビリティ管理エンティティに送信する。図２に示すように、具体的なプロセスは主に以下のステップを含む。
【００２９】
ステップ２０１：基地局がサポートする緊急事態エリア識別子と、緊急事態エリア識別子に含まれるセルグローバル識別子リストとが変更された場合、基地局は、基地局自身がサポートする緊急事態エリア識別子と、緊急事態エリア識別子に含まれるセルグローバル識別子リストとを再取得し、そして、取得された、緊急事態エリア識別子と、緊急事態エリア識別子に含まれるセルグローバル識別子リストとを基地局構成更新メッセージに含ませてモビリティ管理エンティティに送信する。
【００３０】
基地局において、緊急事態エリア識別子と、緊急事態エリア識別子に含まれるセルグローバル識別子リストとが、手動設定により変更された場合、基地局は、演算によってこの変更イベントを認識し、そして、基地局自身がサポートする緊急事態エリア識別子と、緊急事態エリア識別子に含まれるセルグローバル識別子リストを再取得する。
【００３１】
ステップ２０２：モビリティ管理エンティティは、基地局構成更新メッセージ内の緊急事態エリア識別子と、緊急事態エリア識別子に含まれるセルグローバル識別子リストとに応じて、モビリティ管理エンティティ自身に保存された緊急事態エリア識別子と、緊急事態エリア識別子に含まれるセルグローバル識別子リストとを更新し、そして、基地局構成更新確認（ｅＮＢ  ＣＯＮＦＩＧＵＲＡＴＩＯＮ  ＵＰＤＡＴＥ  ＡＣＫＮＯＷＬＥＤＧＥ）の応答メッセージを基地局に返信する。
【００３２】
モビリティ管理エンティティは、基地局構成更新メッセージを受信した後、基地局に対応する緊急事態エリア識別子と、緊急事態エリア識別子に含まれるセルグローバル識別子リストとが変更されたことを認識し、その後、モビリティ管理エンティティは、初期段階で保存された当該基地局の緊急事態エリア識別子と、緊急事態エリア識別子に含まれるセルグローバル識別子リストとを、基地局構成更新メッセージに含まれる緊急事態エリア識別子と、緊急事態エリア識別子に含まれるセルグローバル識別子リストとに更新し、そして、基地局構成更新確認の応答メッセージを基地局に返信する。
【００３３】
以下、具体的な実施形態を合わせて上記緊急事態エリア識別子の通知方法を詳しく説明する。当該実施形態において、オペレーターは、基地局において緊急事態エリア識別子を１に予め設定する。緊急事態エリア識別子に含まれるセルグローバル識別子は０、１、２である。Ｓ１インターフェースが確立されるとき、基地局は、緊急事態エリア識別子が１であることを示す情報と、緊急事態エリア識別子に含まれるセルグローバル識別子が０、１、２であることを示す情報とを取得し、そして、取得された情報をＳ１確立要求メッセージに含ませてモビリティ管理エンティティに送信する。モビリティ管理エンティティは、Ｓ１確立要求メッセージを受信した後、緊急事態エリア識別子が１であることを示す情報と、緊急事態エリア識別子に含まれるセルグローバル識別子が０、１、２であることを示す情報とを取り出して保存し、その後、Ｓ１確立応答メッセージを基地局に返信する。
【００３４】
Ｓ１インターフェースの確立の後、オペレーターが、緊急事態エリア識別子が２である識別子を基地局に追加し、この緊急事態エリア識別子に含まれるセルグローバル識別子が２、３、４、５であり、さらに、緊急事態エリア識別子が１である識別子に含まれるセルグローバル識別子が１、６に修正された場合を想定する。この場合、基地局は、緊急事態エリア識別子の情報が変更されたことを認識したとき、基地局自身がサポートする緊急事態エリア識別子と、緊急事態エリア識別子に含まれるセルグローバル識別子リストとを再取得する。即ち、基地局は、緊急事態エリア識別子が１であることを示す情報と、緊急事態エリア識別子に含まれるセルグローバル識別子が１、６であることを示す情報と、緊急事態エリア識別子が２であることを示す情報と、緊急事態エリア識別子に含まれるセルグローバル識別子が２、３、４、５であることを示す情報とを再取得する。基地局は、再取得された上記情報を基地局構成更新メッセージに含ませてモビリティ管理エンティティに送信する。モビリティ管理エンティティは、基地局構成更新メッセージを受信した後、緊急事態エリア識別子の情報が変更されたことを認識し、その後、モビリティ管理エンティティ自身に初期段階で保存された当該基地局の緊急事態エリア識別子の情報（即ち緊急事態エリア識別子が１であり、緊急事態エリア識別子に含まれるセルが０、１、２であることを示す情報）を、基地局構成更新メッセージに含まれる緊急事態エリア識別子の情報（即ち緊急事態エリア識別子が１であり、それに含まれるセルが１、６であり、緊急事態エリア識別子が２であり、それに含まれるセルが２、３、４、５であることを示す情報）に更新し、その後、基地局構成更新確認の応答メッセージを基地局に返信する。
【００３５】
上記緊急事態エリア識別子の通知方法を実現するために、本発明は、緊急事態エリア識別子の通知システムを更に提供する。この通知システムは、図３に示すように、基地局（ｅＮＢ）１０とモビリティ管理エンティティ（ＭＭＥ）２０とから構成される。ここで、基地局１０は、基地局自身がサポートする緊急事態エリア識別子と、緊急事態エリア識別子に含まれるセルグローバル識別子リストとを取得し、そして、Ｓ１インターフェースを確立するときに、取得された、緊急事態エリア識別子と、緊急事態エリア識別子に含まれるセルグローバル識別子リストとをＳ１確立要求メッセージに含ませてモビリティ管理エンティティ２０に送信する。緊急事態エリア識別子と、緊急事態エリア識別子に含まれるセルグローバル識別子リストとは、Ｓ１確立要求メッセージにおける任意の位置に位置される。モビリティ管理エンティティ２０は、受信された、緊急事態エリア識別子と、緊急事態エリア識別子に含まれるセルグローバル識別子リストとを保存する。
【００３６】
基地局１０は、さらに、基地局自身がサポートする緊急事態エリア識別子と、緊急事態エリア識別子に含まれるセルグローバル識別子リストとを予め設定する。また、Ｓ１インターフェースの確立の後、基地局１０自身がサポートする緊急事態エリア識別子と、緊急事態エリア識別子に含まれるセルグローバル識別子リストとが変更された場合、基地局１０は、基地局自身がサポートする緊急事態エリア識別子と、緊急事態エリア識別子に含まれるセルグローバル識別子リストとを再取得し、そして、再取得された、緊急事態エリア識別子と、緊急事態エリア識別子に含まれるセルグローバル識別子リストとを基地局構成更新メッセージに含ませてモビリティ管理エンティティ２０に送信する。モビリティ管理エンティティ２０は、基地局構成更新メッセージにおける緊急事態エリア識別子と、緊急事態エリア識別子に含まれるセルグローバル識別子リストとに応じて、モビリティ管理エンティティ自身に保存された緊急事態エリア識別子と、緊急事態エリア識別子に含まれるセルグローバル識別子リストとを更新する。
【００３７】
ここで、基地局１０は情報取得モジュール１１及びメッセージ送信モジュール１２を更に含む。情報取得モジュール１１は、基地局１０がサポートする緊急事態エリア識別子と、緊急事態エリア識別子に含まれるセルグローバル識別子リストとを取得する。メッセージ送信モジュール１２は、Ｓ１インターフェースが確立されるときに、取得された、緊急事態エリア識別子と、緊急事態エリア識別子に含まれるセルグローバル識別子リストとをＳ１確立要求メッセージに含ませてモビリティ管理エンティティ２０に送信する。
【００３８】
情報取得モジュール１１は、さらに、Ｓ１インターフェースの確立の後、基地局１０自身がサポートする緊急事態エリア識別子と、緊急事態エリア識別子に含まれるセルグローバル識別子リストとが変更された場合、基地局自身がサポートする緊急事態エリア識別子と、緊急事態エリア識別子に含まれるセルグローバル識別子リストとを再取得する。対応して、メッセージ送信モジュール１２は、さらに、再取得された、緊急事態エリア識別子と、緊急事態エリア識別子に含まれるセルグローバル識別子リストとを基地局構成更新メッセージに含ませてモビリティ管理エンティティ２０に送信する。
【００３９】
モビリティ管理エンティティ２０は、メッセージ受信モジュール２１及び情報保存モジュール２２を更に含む。メッセージ受信モジュール２１は、基地局からのＳ１確立要求メッセージ及び／又は基地局構成更新メッセージを受信する。情報保存モジュール２２は、Ｓ１確立要求メッセージ及び／又は基地局構成更新メッセージに含まれる緊急事態エリア識別子と、緊急事態エリア識別子に含まれるセルグローバル識別子リストとを保存する。
【００４０】
つまり、本発明によれば、モビリティ管理エンティティ側で緊急事態エリア識別子を手動で設定する作業が省略される。これにより、手作業の煩雑さが低減され、エラー率が低減され、システムの信頼性及び作業効率が向上し、システムの安定性及びメンテナンス性が強化される。
【００４１】
以上の説明は、本発明の単なる好ましい実施形態に過ぎず、本発明の保護範囲を限定するものではない。
【図１】
2013505607.tif 000003
【図２】
2013505607.tif 000004
【図３】
2013505607.tif 000005
【国際調査報告】
2013505607.tif 000006
2013505607.tif 000007
2013505607.tif 000008
2013505607.tif 000009